(57)【特許請求の範囲】
【請求項１】
無線アクセス・ノードの間で無線アクセス・ネットワークＲＡＮ構成データを転送するための方法であって、モビリティ管理ノード（ＭＭＥＡ）により、
ソース・セル（Ａ）を動作させるソース無線アクセス・ノード（ｅＮＢＡ）によって発行される第１のＲＡＮ構成転送メッセージ（１）であって、ターゲット・セル（Ｂ）を動作させるターゲット・リレー無線アクセス・ノード（ＲＮＢ）のターゲット・ノード識別子（ＲＮ−ＩＤＢ）と、前記ターゲット・セルのターゲット・トラッキング・エリア識別子（ＴＡＩＢ）とを備え、またそれによって、前記ソース無線アクセス・ノードが、前記ターゲット・リレー無線アクセス・ノードからのＲＡＮ構成データを要求する、第１のＲＡＮ構成転送メッセージ（１）を受信するステップと、
前記第１のＲＡＮ構成転送メッセージから前記ターゲット・ノード識別子と前記ターゲット・トラッキング・エリア識別子とを復号するステップと、
前記ターゲット・トラッキング・エリア識別子が、前記モビリティ管理ノードによって管理されており、また前記ターゲット・ノード識別子が、どのような登録された無線アクセス・ノードにも関連付けられていない場合に、前記ターゲット・トラッキング・エリア識別子に関連する複数の登録された無線アクセス・ノード（ＤｅＮＢＣ、ｅＮＢＤ）に向かって、前記第１のＲＡＮ構成転送メッセージをさらなる第１のＲＡＮ構成転送メッセージ（１’）としてブロードキャストするステップと
を備える方法。
【請求項２】
前記複数の登録された無線アクセス・ノードの中からの、またそれを通して前記ターゲット・リレー無線アクセス・ノードのオペレーションがプロキシされるドナー無線アクセス・ノード（ＤｅＮＢＣ）により、前記ソース・セルから前記ターゲット・セルへとユーザ装置ＵＥ（ＵＥＸ）をハンドオーバーするためのハンドオーバー・メッセージのターゲット・ノード識別子として使用されている、前記ドナー無線アクセス・ノードのドナー・ノード識別子（ＤｅＮＢ−ＩＤＣ）を、第２のＲＡＮ構成転送メッセージ（２）の一部分として戻すステップをさらに備え、また
前記モビリティ管理ノードにより、前記ソース無線アクセス・ノードに向かって、前記第２のＲＡＮ構成転送メッセージをさらなる第２のＲＡＮ構成転送メッセージ（２’）として転送するステップをさらに備える、請求項１に記載の方法。
【請求項３】
前記複数の登録された無線アクセス・ノードの中からの、またそれを通して前記ターゲット・リレー無線アクセス・ノードのオペレーションがプロキシされるドナー無線アクセス・ノード（ＤｅＮＢＣ）により、前記ソース無線アクセス・ノードと前記ドナー無線アクセス・ノードとの間のさらなる接続性のために使用されている、前記ドナー無線アクセス・ノードのネットワーク・アドレス（ＴＮＬＣ）を、第２のＲＡＮ構成転送メッセージ（２）の一部分として戻すステップをさらに備え、また
前記モビリティ管理ノードにより、前記ソース無線アクセス・ノードに向かって、前記第２のＲＡＮ構成転送メッセージをさらなる第２のＲＡＮ構成転送メッセージ（２’）として転送するステップをさらに備える、請求項１または２に記載の方法。
【請求項４】
無線アクセス・ノードの間で無線アクセス・ネットワークＲＡＮ構成データを転送するように構成されたモビリティ管理ノード（ＭＭＥＡ）であって、
ソース・セル（Ａ）を動作させるソース無線アクセス・ノード（ｅＮＢＡ）によって発行される第１のＲＡＮ構成転送メッセージ（１）であって、ターゲット・セル（Ｂ）を動作させるターゲット・リレー無線アクセス・ノード（ＲＮＢ）のターゲット・ノード識別子（ＲＮ−ＩＤＢ）と、前記ターゲット・セルのターゲット・トラッキング・エリア識別子（ＴＡＩＢ）とを備え、またそれによって、前記ソース無線アクセス・ノードが、前記ターゲット・リレー無線アクセス・ノードからのＲＡＮ構成データを要求する、第１のＲＡＮ構成転送メッセージ（１）を受信するための受信手段と、
前記第１のＲＡＮ構成転送メッセージから前記ターゲット・ノード識別子と前記ターゲット・トラッキング・エリア識別子とを復号するための復号手段と、
前記ターゲット・トラッキング・エリア識別子が、前記モビリティ管理ノードによって管理されており、また前記ターゲット・ノード識別子が、どのような登録された無線アクセス・ノードにも関連付けられていない場合に、前記ターゲット・トラッキング・エリア識別子に関連する複数の登録された無線アクセス・ノード（ＤｅＮＢＣ、ｅＮＢＤ）に向かって、前記第１のＲＡＮ構成転送メッセージをさらなる第１のＲＡＮ構成転送メッセージ（１’）としてブロードキャストするためのルーティング手段と
を備えるモビリティ管理ノード（ＭＭＥＡ）。
【請求項５】
前記受信手段は、さらに、前記複数の登録された無線アクセス・ノードの中からの、またそれを通して前記ターゲット・リレー無線アクセス・ノードのオペレーションがプロキシされるドナー無線アクセス・ノード（ＤｅＮＢＣ）のドナー・ノード識別子（ＤｅＮＢ−ＩＤＣ）であって、前記ソース・セルから前記ターゲット・セルへとユーザ装置ＵＥ（ＵＥＸ）をハンドオーバーするためのハンドオーバー・メッセージのターゲット・ノード識別子として使用されているドナー・ノード識別子（ＤｅＮＢ−ＩＤＣ）を備える第２のＲＡＮ構成転送メッセージ（２）を受信するためのものであり、
前記ルーティング手段は、さらに、前記ソース無線アクセス・ノードに向かって、前記第２のＲＡＮ構成転送メッセージをさらなる第２のＲＡＮ構成転送メッセージ（２’）として転送するためのものである、請求項４に記載のモビリティ管理ノード（ＭＭＥＡ）。
【請求項６】
前記受信手段は、さらに、前記複数の登録された無線アクセス・ノードの中からの、またそれを通して前記ターゲット・リレー無線アクセス・ノードのオペレーションがプロキシされるドナー無線アクセス・ノード（ＤｅＮＢＣ）のネットワーク・アドレス（ＴＮＬＣ）であって、前記ソース無線アクセス・ノードと前記ドナー無線アクセス・ノードとの間のさらなる接続性のために使用されているネットワーク・アドレス（ＴＮＬＣ）を備える第２のＲＡＮ構成転送メッセージ（２）を受信するためのものであり、
前記ルーティング手段は、さらに、前記ソース無線アクセス・ノードに向かって、前記第２のＲＡＮ構成転送メッセージをさらなる第２のＲＡＮ構成転送メッセージ（２’）として転送するためのものである、請求項４または５に記載のモビリティ管理ノード（ＭＭＥＡ）。
【発明の詳細な説明】
【技術分野】
【０００１】
本発明は、セルラー方式の公衆地上モバイル・ネットワーク（Ｐｕｂｌｉｃ  Ｌａｎｄ  Ｍｏｂｉｌｅ  Ｎｅｔｗｏｒｋ）（ＰＬＭＮ）に関し、またより詳細には、それによって、無線アクセス・ネットワーク（Ｒａｄｉｏ  Ａｃｃｅｓｓ  Ｎｅｔｗｏｒｋ）（ＲＡＮ）が自己構成され、また自己最適化される、自己組織化ネットワーク（Ｓｅｌｆ  Ｏｒｇａｎｉｚｉｎｇ  Ｎｅｔｗｏｒｋ）（ＳＯＮ）機能に関する。
【背景技術】
【０００２】
ロング・ターム・エボリューション（Ｌｏｎｇ  Ｔｅｒｍ  Ｅｖｏｌｕｔｉｏｎ）（ＬＴＥ）モバイル・ネットワークの自己構成と自己最適化とのためのサポートは、２００９年６月に第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）（３ＧＰＰ）によって公開された「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ」という名称の技術仕様書（Ｔｅｃｈｎｉｃａｌ  Ｓｐｅｃｉｆｉｃａｔｉｏｎ）（ＴＳ）の§２２において定義される（３ＧＰＰ  ＴＳ  ３６．３００  Ｖ９．０．０参照）。
【０００３】
自己構成プロセスは、それによって、新しく展開された進化型ノードＢ（ｅｖｏｌｖｅｄ−ＮｏｄｅＢｓ）（ｅＮＢ）が、システム・オペレーションのための必要な基本構成を得るために自動インストレーション・プロシージャによって構成される、プロセスとして定義される。これは、ネットワーク接続性と、１つまたは複数のゲートウェイに対するｅＮＢの認証および登録と、ｅＮＢソフトウェアおよび動作パラメータのダウンロードと、カバレッジ／容量に関連したパラメータ構成と、近隣リスト構成とを含む。自己構成プロセスは、さらに、それによって、既存のｅＮＢが、新しいｅＮＢの導入に続いて自動的にアップデートされる、プロセスとして定義される。
【０００４】
自己最適化プロセスは、それによって、ユーザ装置（Ｕｓｅｒ  Ｅｑｕｉｐｍｅｎｔ）（ＵＥ）および／またはｅＮＢの測定値を使用して、ネットワークを自動調整する、プロセスとして定義される。これは、近隣リストの最適化と、カバレッジ、容量、およびハンドオーバーの制御とを含む。
【０００５】
自動近隣関係（Ａｕｔｏｍａｔｉｃ  Ｎｅｉｇｈｂｏｒ  Ｒｅｌａｔｉｏｎ）（ＡＮＲ）機能は、ＳＯＮの重要な機能である。ＡＮＲ機能の目的は、近隣関係（ＮＲ）を手動で管理する重荷からオペレータを解放することである。ＡＮＲ機能は、ｅＮＢの中に存在し、また概念的な近隣関係テーブル（Ｎｅｉｇｈｂｏｒ  Ｒｅｌａｔｉｏｎ  Ｔａｂｌｅ）（ＮＲＴ）を管理する。近隣検出（Ｎｅｉｇｈｂｏｒ  Ｄｅｔｅｃｔｉｏｎ）（ＮＤ）機能は、新しい近隣を見出し、また対応するＮＲをＮＲＴに追加し、また近隣削除（Ｎｅｉｇｈｂｏｒ  Ｒｅｍｏｖａｌ）（ＮＲ）機能は、期限切れのＮＲを削除する。
【０００６】
ＡＮＲのコンテキストにおけるＮＲは、ソース・セルからターゲット・セルに向かう関連付けとして定義される。ｅＮＢが有するセルごとに、ｅＮＢは、ＮＲＴを保持する。ＮＲごとに、ＮＲＴは、ターゲット・セル識別子（Ｔａｒｇｅｔ  Ｃｅｌｌ  Ｉｄｅｎｔｉｆｉｅｒ）（ＴＣＩ）を含んでおり、このターゲット・セル識別子は、ターゲット・セルを識別する。Ｅ−ＵＴＲＡＮでは、ＴＣＩは、ターゲット・セルのＥ−ＵＴＲＡＮセル・グローバル識別子（Ｅ−ＵＴＲＡＮ  Ｃｅｌｌ  Ｇｌｏｂａｌ  Ｉｄｅｎｔｉｆｉｅｒ）（ＥＣＧＩ）と物理セル識別子（Ｐｈｙｓｉｃａｌ  Ｃｅｌｌ  Ｉｄｅｎｔｉｆｉｅｒ）（ＰＣＩ）とに対応する。ＮＲは、ＮＲがＮＲＴから削除され得るかどうかや、ターゲット・セルを動作させるｅＮＢとの直接のＸ２接続が存在するかどうかなど、さらなる属性を備える。
【０００７】
ＡＮＲ機能は、以下のように機能する。
【０００８】
サービング・セル（ｓｅｒｖｉｎｇ  ｃｅｌｌ）ｅＮＢは、ＡＮＲ機能を有する。通常のコール・プロシージャの一部分として、ｅＮＢは、近隣セルについての測定を実行するように各ＵＥに指示する。ｅＮＢは、どのようにして測定を実行すべきかと、いつそれらをサービングｅＮＢに対して報告すべきかをＵＥに指示するための異なるポリシーを使用することができる。
【０００９】
ＵＥは、構成された測定ポリシーに応じて特定の近隣セルに関する測定報告を送信する。この報告は、近隣セルのＰＣＩを含んでいるが、そのＥＣＧＩを含んではいない。
【００１０】
ｅＮＢは、新しく見出されたＰＣＩをパラメータとして使用して、近隣セルについてのＥＣＧＩ、すなわちＰＬＭＮアイデンティティおよびセル・アイデンティティと、トラッキング・エリア識別子（Ｔｒａｃｋｉｎｇ  Ａｒｅａ  Ｉｄｅｎｔｉｆｉｅｒ）（ＴＡＩ）、すなわちＰＬＭＮアイデンティティおよびトラッキング・エリア・コード（Ｔｒａｃｋｉｎｇ  Ａｒｅａ  Ｃｏｄｅ）（ＴＡＣ）とを読み取るようにＵＥに指示する。
【００１１】
ＵＥが、新しいセルのＥＣＧＩおよびＴＡＩを見出しているときに、ＵＥは、検出されたＥＣＧＩおよびＴＡＩをサービング・セルｅＮＢに対して報告する。ｅＮＢは、サービング・セルのＮＲＴにこのＮＲを追加することを決定し、また報告されたＥＣＧＩを使用して、トランスポート・ネットワーク・レイヤ（Ｔｒａｎｓｐｏｒｔ  Ｎｅｔｗｏｒｋ  Ｌａｙｅｒ）（ＴＮＬ）アドレスを、例えば、インターネット・プロトコル（Ｉｎｔｅｒｎｅｔ  Ｐｒｏｔｏｃｏｌ）（ＩＰ）アドレスを調べて、検出された近隣セルを動作させるｅＮＢとの新しいＸ２接続をセットアップすることができる。
【００１２】
サービングｅＮＢが、接続性のために適したＴＮＬアドレスを有さない場合、そのときにはｅＮＢは、構成転送機能を利用して、以下のようにＴＮＬアドレスを決定することができる。
【００１３】
ｅＮＢは、管理モビリティ・エンティティ（Ｍａｎａｇｅｍｅｎｔ  Ｍｏｂｉｌｉｔｙ  Ｅｎｔｉｔｙ）（ＭＭＥ）に対してｅＮＢ構成転送メッセージ（ｅＮＢ  ＣＯＮＦＩＧＵＲＡＴＩＯＮ  ＴＲＡＮＳＦＥＲ  ｍｅｓｓａｇｅ）を送信して、候補のｅＮＢのＴＮＬアドレスを要求し、またソースｅＮＢのＩＤやターゲットｅＮＢのＩＤなど、関連のある情報を含んでいる。
【００１４】
ＭＭＥは、ターゲットｅＮＢのＩＤによって識別される候補のｅＮＢに対してＭＭＥ構成転送メッセージを送信することにより、要求を中継する。
【００１５】
候補のｅＮＢは、Ｘ２接続性のために使用されるべき１つまたは複数のＴＮＬアドレスを含む開始するｅＮＢに対してさらなるｅＮＢ構成転送メッセージを送信することにより応答する。
【００１６】
ＭＭＥは、開始するｅＮＢに対してさらなるＭＭＥ構成転送メッセージを送信することにより、その応答を中継する。
【００１７】
そのＲＡＮ構成データ交換において、ＭＭＥは、トランスペアレントであり、ステートレス（ｓｔａｔｅｌｅｓｓ）であり、また交換された構成データを追跡しない。
【００１８】
３ＧＰＰのリリース１０は、無線カバレッジをバックホールするインフラストラクチャが、存在しない、または不十分である（ほとんどいなかの）エリアへと拡張するためのリレー・ノード（Ｒｅｌａｙ  Ｎｏｄｅｓ）（ＲＮ）を導入している。Ｅ−ＵＴＲＡＮは、Ｅ−ＵＴＲＡ無線インターフェースの、Ｕｎインターフェースと呼ばれている修正されたバージョンを経由して、ドナーｅＮＢ（Ｄｏｎｏｒ  ｅＮＢ）（ＤｅＮＢ）と呼ばれる、ＲＮをサーブするｅＮＢに対するＲＮワイヤレス接続を有することにより中継をサポートする。
【００１９】
ＲＮは、それがＥ−ＵＴＲＡ無線インターフェースと、Ｓ１インターフェースと、Ｘ２インターフェースとの無線プロトコルを終了させることを意味するｅＮＢ機能をサポートする。
【００２０】
ｅＮＢ機能に追加して、ＲＮはまた、ＤｅＮＢに対してワイヤレスに接続するために、ＵＥ機能のサブセットをサポートする。
【００２１】
ＤｅＮＢは、ＲＮと、他のネットワーク・ノード（すなわち、ｅＮＢ、ＭＭＥおよびＳ−ＧＷ）との間のＳ１プロキシ機能およびＸ２プロキシ機能を提供する。Ｓ１プロキシ機能およびＸ２プロキシ機能は、ＲＮに関連するＳ１インターフェースおよびＸ２インターフェースと、他のネットワーク・ノードに関連するＳ１インターフェースおよびＸ２インターフェースとの間のデータ・パケットおよび制御パケットをＳ１およびＸ２に渡すことを含んでいる。したがって、ＤｅＮＢは、ＲＮに対して、Ｓ１インターフェースについてのＭＭＥまたはＳ−ＧＷとして現れ、またはＸ２インターフェースについてのｅＮＢとして現れる。
【００２２】
ＲＮによって動作させられるターゲット・セルに向かうハンドオーバーは、以下のように機能することが期待される。
【００２３】
ハンドオーバー必要メッセージ（ＨＡＮＤＯＶＥＲ  ＲＥＱＵＩＲＥＤ  ｍｅｓｓａｇｅ）においては、ソースｅＮＢは、ターゲットＩＤフィールドにおけるターゲット・セルのＴＡＩ、およびターゲットＤｅＮＢのｅＮＢのＩＤと、ソースからターゲットのコンテナにおけるターゲット・セルのＥＣＧＩとを含む。ターゲットＭＭＥは、ＴＡＩに基づいて選択され、またターゲットＩＤフィールドに応じてルーティングする。ターゲットＤｅＮＢが、ハンドオーバー要求メッセージ（ＨＡＮＤＯＶＥＲ  ＲＥＱＵＥＳＴ  ｍｅｓｓａｇｅ）を受信するとき、それは、ターゲットＥＣＧＩを調べ、またその接続されたＲＮのうちの１つに属するものとしてターゲット・セルを識別する。次いで、ターゲットＤｅＮＢは、さらに、その場所でさらに取り扱うためにハンドオーバー要求メッセージを対応するＲＮに対してプロキシすることができる。
【００２４】
このアルゴリズムは、ソースｅＮＢが、どのＤｅＮＢがＲＮを制御するかについて知っていることを仮定している。それにもかかわらず、ＵＥが、そのサービングｅＮＢに対してＲＮによって動作させられる新しく検出された近隣セルを報告するときはいつでも、それは、上述のＡＮＲ機能を用いてそのＰＣＩと、そのＥＣＧＩとを報告することになる。ＥＣＧＩは、ＲＮのｅＮＢのＩＤ（さらにＲＮ−ＩＤと称される）を含んでいる。しかしながら、サービングｅＮＢは、ハンドオーバー必要メッセージを構築するためにそのＲＮを制御するＤｅＮＢのｅＮＢのＩＤ（さらにＤｅＮＢ−ＩＤと称される）を必要とする。このＲＮ−ＩＤ／ＤｅＮＢ−ＩＤマッピング情報は、サービングｅＮＢにおいて紛失している。
【００２５】
結果として、ＲＮのセルに向かうハンドオーバーは、重い構成と、高い動作費用（ｏｐｅｒａｔｉｏｎａｌ  Ｅｘｐｅｎｄｉｔｕｒｅｓ）（ＯＰＥＸ）とを犠牲にして機能しており、すなわち、ＲＮが、ネットワークに導入されるときにはいつでも、オペレータは、そのＲＮを制御するＤｅＮＢのアイデンティティを用いて、すべての近隣のｅＮＢを構成する必要がある。この構成は、うんざりするものであり、実質的な可能性のある展開されたＲＮの数でスケーラブルであり、人間の誤りを受けやすく、またＲＮが、放浪的である可能性があり、すなわちスイッチが切られ、また次いで新しい無線環境において再びスイッチがオンにされた後に、ある場所から別の場所へと移動させられる可能性があるという、なおさらうんざりするものである。
【先行技術文献】
【非特許文献】
【００２６】
【非特許文献１】３ｒｄ  Ｇｅｎｅｒａｔｉｏｎ  Ｐａｒｔｎｅｒｓｈｉｐ  Ｐｒｏｊｅｃｔ（３ＧＰＰ）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ」Ｔｅｃｈｎｉｃａｌ  Ｓｐｅｃｉｆｉｃａｔｉｏｎ（ＴＳ）、３ＧＰＰ  ＴＳ  ３６．３００  Ｖ９．０．０、２００９年６月、§２２
【発明の概要】
【発明が解決しようとする課題】
【００２７】
本発明の一目的は、ドナー・ノードを通して無線でバックホールされ、またプロキシされるリレー・ノードについてのネットワーク構成を簡単にすることである。
【課題を解決するための手段】
【００２８】
本発明の第１の態様に従って、無線アクセス・ノードの間でＲＡＮ構成データを転送するための一方法は、モビリティ管理ノードにより、
ソース・セルを動作させるソース無線アクセス・ノードによって発行される第１のＲＡＮ構成転送メッセージであって、ターゲット・セルを動作させるターゲット・リレー無線アクセス・ノードのターゲット・ノード識別子と、前記ターゲット・セルのターゲット・トラッキング・エリア識別子とを備え、またそれによって、前記ソース無線アクセス・ノードが、前記ターゲット・リレー無線アクセス・ノードからのＲＡＮ構成データを要求する、第１のＲＡＮ構成転送メッセージを受信するステップと、
前記第１のＲＡＮ構成転送メッセージから前記ターゲット・ノード識別子と前記ターゲット・トラッキング・エリア識別子とを復号するステップと、
前記ターゲット・トラッキング・エリア識別子が、前記モビリティ管理ノードによって管理されており、また前記ターゲット・ノード識別子が、どのような登録された無線アクセス・ノードにも関連付けられていない場合に、前記ターゲット・トラッキング・エリア識別子に関連する複数の登録された無線アクセス・ノードに向かって、前記第１のＲＡＮ構成転送メッセージをさらなる第１のＲＡＮ構成転送メッセージとしてブロードキャストするステップと
を備える。
【００２９】
本発明の別の態様に従って、管理モビリティ・ノードは、無線アクセス・ノードの間でＲＡＮ構成データを転送するように構成されており、また
ソース・セルを動作させるソース無線アクセス・ノードによって発行される第１のＲＡＮ構成転送メッセージであって、ターゲット・セルを動作させるターゲット・リレー無線アクセス・ノードのターゲット・ノード識別子と、前記ターゲット・セルのターゲット・トラッキング・エリア識別子とを備え、またそれによって、前記ソース無線アクセス・ノードが、前記ターゲット・リレー無線アクセス・ノードからのＲＡＮ構成データを要求する、第１のＲＡＮ構成転送メッセージを受信するための受信ロジックと、
前記第１のＲＡＮ構成転送メッセージから前記ターゲット・ノード識別子と前記ターゲット・トラッキング・エリア識別子とを復号するための復号ロジックと、
前記ターゲット・トラッキング・エリア識別子が、前記モビリティ管理ノードによって管理されており、また前記ターゲット・ノード識別子が、どのような登録された無線アクセス・ノードにも関連付けられていない場合に、前記ターゲット・トラッキング・エリア識別子に関連する複数の登録された無線アクセス・ノードに向かって、前記第１のＲＡＮ構成転送メッセージをさらなる第１のＲＡＮ構成転送メッセージとしてブロードキャストするためのルーティング・ロジックと
を備える。
【００３０】
本発明による方法の一実施形態においては、また本発明による管理モビリティ・ノードの対応する一実施形態においては、前記複数の登録された無線アクセス・ノードの中からの、またそれを通して前記ターゲット・リレー無線アクセス・ノードのオペレーションがプロキシされるドナー無線アクセス・ノードは、前記ドナー無線アクセス・ノードについての、前記ソース・セルから前記ターゲット・セルへとＵＥをハンドオーバーするためのハンドオーバー・メッセージのターゲット・ノード識別子として使用されているドナー・ノード識別子を、第２のＲＡＮ構成転送メッセージの一部分として戻し、
また前記モビリティ管理ノードは、前記ソース無線アクセス・ノードに向かって、前記第２のＲＡＮ構成転送メッセージをさらなる第２のＲＡＮ構成転送メッセージとして転送する。
【００３１】
本発明による方法の一実施形態においては、また本発明による管理モビリティ・ノードの対応する一実施形態においては、前記複数の登録された無線アクセス・ノードの中からの、またそれを通して前記ターゲット・リレー無線アクセス・ノードのオペレーションがプロキシされるドナー無線アクセス・ノードは、前記ドナー無線アクセス・ノードについての、前記ソース無線アクセス・ノードと前記ドナー無線アクセス・ノードとの間のさらなる接続性のために使用されているネットワーク・アドレスを、第２のＲＡＮ構成転送メッセージの一部分として戻し、
また前記モビリティ管理ノードは、前記ソース無線アクセス・ノードに向かって前記第２のＲＡＮ構成転送メッセージをさらなる第２のＲＡＮ構成転送メッセージとして転送する。
【００３２】
さらなる第１および第２のＲＡＮ構成転送メッセージは、必ずしもそれぞれ第１および第２のＲＡＮ構成転送メッセージと異なっているとは限らない。
【００３３】
実際の問題は、あらゆるｅＮＢにおいて、どのｅＮＢの近隣ＲＮを管理するかについての知識を手動で構成しないようにするために、ＤｅＮＢが、その知識を自動的に構成するようにＡＮＲ機能をどのようにして拡張するかである。
【００３４】
ただ１つのルーティングの課題は、それゆえに、ｅＮＢ／ＭＭＥ構成転送メッセージのルーティングであり、また人が一目見ただけで推測するかもしれないように、ハンドオーバー必要／要求メッセージのうちの一方ではない。
【００３５】
本発明は、以下のように、Ｓ１インターフェースの上の構成メッセージのブロードキャスト／ページングを頼りにする。
【００３６】
ソースｅＮＢは、ＵＥのＡＮＲ報告からターゲットＥＣＧＩと、ターゲットＴＡＩとを受信する。このターゲットＥＣＧＩの内部で、それは、ターゲットｅＮＢのＩＤを抽出することができる。しかしながら、ソースｅＮＢは、このポイントにおいて、ターゲットｅＮＢのＩＤがＲＮ−ＩＤであることを知らない。
【００３７】
ソースｅＮＢは、今日現在、ｅＮＢ構成転送メッセージの中にターゲットＴＡＩと、ターゲットｅＮＢのＩＤ（ここでは、ＲＮ−ＩＤ）とを含んでいる。
【００３８】
ターゲットＭＭＥは、このｅＮＢのＩＤについて、どのようなマッチも見出さないであろう。今日現在、拒絶する代わりに、ターゲットＭＭＥは、受信されたＴＡＩに基づいてｅＮＢ構成転送メッセージをＭＭＥ構成転送メッセージとしてブロードキャストし、すなわち、それは、それが接続し、またこのＴＡＩに属するすべてのｅＮＢに対してＭＭＥ構成転送メッセージの複数のコピーを送信する。このプロセスは、それが、与えられたＵＥについてのページング・プロセスに類似しているので、ＭＭＥの場合に難しくない。
【００３９】
ターゲットＤｅＮＢは、このＴＡＩについてのすべての関与するｅＮＢの一部分としてＭＭＥ構成転送メッセージを受信することになる。他のｅＮＢは、それらが、ターゲットｅＮＢのＩＤについて知らないので、このメッセージを切り捨てることになる。ターゲットＤｅＮＢは、含まれるｅＮＢのＩＤが、それが制御するＲＮのうちの１つのＲＮ−ＩＤにマッチすることを理解するであろう。
【００４０】
ターゲットＤｅＮＢは、そのＤｅＮＢ−ＩＤを示す新しいフィールドを含むｅＮＢ構成転送応答を用いてターゲットＲＮの代わりに応答することになる。ターゲットＤｅＮＢは、それが要求されたターゲットＲＮについてのＸ２プロキシとしての機能を果たすので、まるでそれが宛先ノードであったかのように、そのＸ２トランスポート・アドレスを含むこともできる。
【００４１】
ソースｅＮＢが、新しいフィールドを含むＭＭＥ構成転送応答を受信するときに、それは、要求されたターゲット・ノードが、実際にＲＮであったことを知っており、またソースｅＮＢは、それを制御するＤｅＮＢについてのＤｅＮＢ−ＩＤを知っている。ソースｅＮＢは、ハンドオーバーを行う準備ができている。ソースｅＮＢは、Ｘ２トランスポート・アドレスを受信することもでき、このＸ２トランスポート・アドレスを使用してターゲットＤｅＮＢとのＸ２接続をセットアップすることができる。
【００４２】
本発明は、ＲＮのセルに向かってハンドオーバーを可能にするサービング近隣ｅＮＢにおけるＤｅＮＢ−ＩＤ／ＲＮ−ＩＤマッピング関係の自動構成を可能にする。
【００４３】
本発明は、おのおのにおけるＲＮについてのＤｅＮＢと、ＲＮについてのあらゆる近隣ｅＮＢとを手動で構成する制約条件を回避しており、またこのようにしてＲＮの展開およびオペレーションに関連するＯＰＥＸを実質的に低減させる。
【００４４】
本発明の上記目的および他の目的と、特徴とは、より明らかになることになり、また本発明それ自体は、添付図面と併せて解釈される一実施形態の以下の説明を参照することにより、最もよく理解されるであろう。
【図面の簡単な説明】
【００４５】
【図１】ＬＴＥモバイル・インフラストラクチャの一部分を表す図である。
【図２】カバレッジ・エリアを表す図である。
【図３Ａ】メッセージ・フロー・チャートを表す図である。
【図３Ｂ】メッセージ・フロー・チャートを表す図である。
【発明を実施するための形態】
【００４６】
図１において、以下のネットワーク・ノード、すなわち
−１つのＭＭＥ：ＭＭＥＡと、
−４つのｅＮＢ：ｅＮＢＡ、ＲＮＢ、ＤｅＮＢＣおよびｅＮＢＤと
を備えるＬＴＥモバイル・インフラストラクチャの一部分が、示されている。
【００４７】
ｅＮＢ：ｅＮＢＡ、ＤｅＮＢＣおよびｅＮＢＤは、Ｓ１インターフェースを通してＭＭＥ：ＭＭＥＡに直接に結合される。ｅＮＢ：ＤｅＮＢＣは、ＲＮ：ＲＮＢをＲＡＮネットワークに（Ｕｎインターフェースを経由して）ワイヤレスに接続するＤｅＮＢである。ＤｅＮＢ：ＤｅＮＢＣは、ＲＮ：ＲＮＢと、ＭＭＥ：ＭＭＥＡとの間のＳ１接続についてのＳ１プロキシとしての機能を果たし、またＲＮ：ＲＮＢと、さらなるｅＮＢとの間のＸ２接続についてのＸ２プロキシとしての機能を果たす。
【００４８】
ｅＮＢ：ｅＮＢＡ、ＲＮＢ、ＤｅＮＢＣおよびｅＮＢＤは、ｅＮＢのＩＤとして、ｅＮＢ−ＩＤＡ、ＲＮ−ＩＤＢ、ＤｅＮＢ−ＩＤＣおよびｅＮＢ−ＩＤＤを有する。
【００４９】
図２において、４つのセルＡ、Ｂ、ＣおよびＤを備えるＬＴＥモバイル・ネットワークの無線カバレッジ・エリアが、示されている。
【００５０】
第１のセルＡは、ｅＮＢ：ｅＮＢＡによって動作させられ、またＴＡＩ：ＴＡＩＡによって識別される第１のトラッキング・エリアＴＡＡに属する。セルＡは、ＰＣＩおよびＥＣＧＩとしてそれぞれＰＣＩＡおよびＥＣＧＩＡを有する。
【００５１】
３つの他のセルＢ、ＣおよびＤは、ＴＡＩ：ＴＡＩＢによって識別される別のトラッキング・エリアＴＡＢに属し、またそれぞれｅＮＢ：ＲＮＢ、ＤｅＮＢＣおよびｅＮＢＤによって動作させられる。セルＢは、ＰＣＩおよびＥＣＧＩとしてそれぞれＰＣＩＢおよびＥＣＧＩＢを有する。セルＣは、ＰＣＩおよびＥＣＧＩとしてそれぞれＰＣＩＣおよびＥＣＧＩＣを有する。セルＤは、ＰＣＩおよびＥＣＧＩとしてそれぞれＰＣＩＤおよびＥＣＧＩＤを有する。
【００５２】
モバイル端末などのＵＥ：ＵＥＸは、さらにソース・セル（またはサービング・セル）と称されるセルＡのカバレッジ・エリアの内部の、位置ａに通信セッションを確立する。
【００５３】
ＵＥ：ＵＥＸは、次に、通信セッションが進行中である間に、位置ｃに向かって移動する。
【００５４】
位置ｂにおいて、セルＢからの無線信号は、セルＡからの無線信号よりも低い経路損失を受ける。それぞれの経路損失の間の差が、何らかの構成されたハンドオーバー・マージンを超えるものと仮定すると、ハンドオーバーは、さらにターゲット・セルと称されるセルＢに向かって進行中のセッションをハンドオーバーするためにトリガされる。他のハンドオーバーの原因もまた、引き起こされる可能性がある。
【００５５】
図３Ａにおいて、ハンドオーバー中に交換される最も注目に値するメッセージを表すメッセージ・フロー・チャートが、示されている。メッセージ・フロー・チャートは、図３Ｂにおいて継続される。
【００５６】
最初に、ＵＥ：ＵＥＸは、セルＡの内部の通信セッションを確立する（図３Ａにおけるコール・セットアップを参照）。
【００５７】
コール・セットアップ・プロシージャの一部分として、ＵＥ：ＵＥＸは、測定ポリシーと、ハンドオーバーしきい値とを用いて構成される。ＵＥ：ＵＥＸは、近隣セルからの信号の強度および品質を測定し、それらをそれぞれのハンドオーバーしきい値と比較する。
【００５８】
さらなるステップにおいて、ＵＥ：ＵＥＸが、ｅＮＢ：ｅＮＢＡによって動作させられるセルＡを離れ、またＲＮ：ＲＮＢによって動作させられるセルＢに入るときに、測定報告メッセージ（ＭＥＡＳＵＲＥＭＥＮＴ  ＲＥＰＯＲＴ  ｍｅｓｓａｇｅ）は、ターゲット・セルＢに向かうハンドオーバー・イベントを通知するためのソースｅＮＢ：ｅＮＢＡに対して送信される。測定報告メッセージは、ターゲット・セルのＰＣＩ、現在の場合にはＰＣＩＢと、ハンドオーバー・イベントのタイプ、現在の場合にはＡ３イベントとを備える（近隣は、サービングよりもよいオフセットになる）。
【００５９】
その後すぐに、ソースｅＮＢ：ｅＮＢＡは、ソース・セルＡからターゲット・セルＢに向かってＵＥ：ＵＥＸについてのハンドオーバーを実行することを決定する。
【００６０】
ＰＣＩ：ＰＣＩＢが、知られていないときに、ソースｅＮＢ：ｅＮＢＡは、近隣セルＢのＥＣＧＩとＴＡＩとを読み取るようにＵＥ：ＵＥＸに要求する。これは、ＡＮＲプロシージャを用いて達成され、またより具体的には、セルのＰＣＩと、読み取られるべきＥＣＧＩおよびＴＡＩと、報告のＣＧＩ表示とを備えるＲＲＣ接続再構成メッセージ（ＲＲＣ  ＣＯＮＮＥＣＴＩＯＮ  ＲＥＣＯＮＦＩＧＵＲＡＴＩＯＮ  ｍｅｓｓａｇｅ）をＵＥ：ＵＥＸに対して送信することにより、達成される。
【００６１】
ＵＥ：ＵＥＸは、近隣セルＢのＥＣＧＩ：ＥＣＧＩＢと、ＴＡＩ：ＴＡＩＢとを読み取り、またさらなる測定報告メッセージを用いて、ソースｅＮＢ：ｅＮＢＡに対してＰＣＩ：ＰＣＩＢと一緒にそれらを戻す。
【００６２】
ＥＣＧＩは、２４ビットの長さのＰＬＭＮアイデンティティと、２８ビットの長さのセル・アイデンティティとの組合せである。セル・アイデンティティは、２０ビットにわたって符号化されるｅＮＢのＩＤをさらに備え、残りの８ビットは、関連するｅＮＢの内部のセル・アイデンティティを符号化するために使用されている。
【００６３】
ソースｅＮＢは、ＥＣＧＩ：ＥＣＧＩＢからターゲット・ノードのｅＮＢのＩＤ、現在の場合にはＲＮ−ＩＤＢを復号する。このｅＮＢのＩＤが、依然として知られていないときに、ソースｅＮＢ：ｅＮＢＡは、ｅＮＢ構成転送メッセージをＭＭＥ：ＭＭＥＡに対して送信する（図３Ａの中の１を参照）。ｅＮＢ構成転送メッセージは、ソースｅＮＢのＩＤおよびＴＡＩ、現在の場合にはｅＮＢ−ＩＤＡおよびＴＡＩＡと、ターゲットｅＮＢのＩＤおよびＴＡＩ、現在の場合にはＲＮ−ＩＤＢおよびＴＡＩＢと、要求表示とを備える。
【００６４】
ＭＭＥ：ＭＭＥＡは、ｅＮＢ構成転送メッセージが追随すべき経路を、またより具体的にはこのメッセージが送信されるべき次のホップを決定するためにターゲットＴＡＩをチェックする。現在の場合には、ＭＭＥ：ＭＭＥＡが、ターゲットＴＡＩ：ＴＡＩＢを管理するので、このメッセージは、さらにルーティングされることはない。
【００６５】
ターゲットｅＮＢのＩＤ：ＲＮ−ＩＤＢは、それがＲＮに対応しており、またＤｅＮＢ：ＤｅＮＢＣと、ｅＮＢ：ｅＮＢＤと同様に、直接に接続されたｅＮＢに対応していないので、ＭＭＥ：ＭＭＥＡにおいては知られていない。その結果として、ＭＭＥ：ＭＭＥＡは、ターゲットＴＡＩ：ＴＡＩＢに属するセルを有するすべての接続されたｅＮＢに向かって、現在の場合にはＤｅＮＢ：ＤｅＮＢＣと、ｅＮＢ：ｅＮＢＤとに向かってｅＮＢ構成転送メッセージをＭＭＥ構成転送メッセージとしてブロードキャストする（図３Ａの中の１’を参照）。
【００６６】
それ自体のｅＮＢのＩＤ、現在の場合にはｅＮＢ−ＩＤＤが、ターゲットｅＮＢのＩＤ、現在の場合にはＲＮ−ＩＤＢにマッチしないので、またｅＮＢ：ｅＮＢＤが、ＤｅＮＢではなく、またこのようにしてさらなるＲＮを制御しないので、ｅＮＢ：ｅＮＢＤは、受信されたＭＭＥ構成転送メッセージを切り捨てる。
【００６７】
ＤｅＮＢ：ＤｅＮＢＣは、その接続されたＲＮのうちの１つのｅＮＢのＩＤとして、現在の場合にはＲＮＢとしてＲＮ−ＩＤＢを識別し、またさらなるｅＮＢ構成転送メッセージを送信することによりＲＮ：ＲＮＢの代わりに応答する（図３Ａの中の２を参照）。さらなるｅＮＢ構成転送メッセージは、ソースｅＮＢのＩＤおよびＴＡＩとしてのＲＮ−ＩＤＢおよびＴＡＩＢと、ターゲットｅＮＢのＩＤおよびＴＡＩとしてのｅＮＢ−ＩＤＡおよびＴＡＩＡと、応答表示とを備える。このメッセージは、供給されたＳＯＮ構成データとして、ＤｅＮＢ：ＤｅＮＢＣのｅＮＢのＩＤ、現在の場合にはＤｅＮＢ−ＩＤＣと、場合によってはＤｅＮＢ：ＤｅＮＢＣのＴＮＬアドレス、現在の場合にはＴＮＬＣとをさらに備える。
【００６８】
さらなるｅＮＢ構成転送メッセージは、要求するｅＮＢ、現在の場合にはｅＮＢ：ｅＮＢＡに向かってさらなるＭＭＥ構成転送メッセージとしてルーティングされる（図３Ａの中の２’を参照）。
【００６９】
その後すぐに、ソースｅＮＢ：ｅＮＢＡは、要求されたターゲット・ノードが実際にＲＮであること、ならびにそれを制御するＤｅＮＢのアイデンティティ、およびＴＮＬアドレスを知っている。
【００７０】
第１のオプションとして、ソースｅＮＢ：ｅＮＢＡは、供給されたＴＮＬアドレスＴＮＬＣを用いてＤｅＮＢ：ＤｅＮＢＣとのＸ２接続を確立し、またさらに、ＤｅＮＢ：ＤｅＮＢＣに対して直接にハンドオーバー要求メッセージを送信する。ハンドオーバー要求メッセージは、ターゲット・セル識別子としてＥＣＧＩＢを備えており、またＲＮ：ＲＮＢに向かってＤｅＮＢによってＸ２プロキシされるべきである。
【００７１】
第２のオプション（図示されず）として、ソースｅＮＢＡは、ターゲットｅＮＢに向かってさらにルーティングするためにＭＭＥ：ＭＭＥＡに対してハンドオーバー必要メッセージを送信する。ハンドオーバー必要メッセージは、ＭＭＥ：ＭＭＥＡが、ＤｅＮＢ：ＤｅＮＢＣに向かってハンドオーバー必要メッセージをハンドオーバー要求メッセージとして適切にルーティングすることができるようにするためにターゲットｅＮＢのＩＤとＴＡＩとしてそれぞれＤｅＮＢ−ＩＤＣとＴＡＩＢとを備える。次いで、ＤｅＮＢ：ＤｅＮＢＣは、ソースｅＮＢからターゲットｅＮＢへのトランスペアレント・コンテナ（Ｓｏｕｒｃｅ−ｅＮＢ−ｔｏ−Ｔａｒｇｅｔ−ｅＮＢ−Ｔｒａｎｓｐａｒｅｎｔ−Ｃｏｎｔａｉｎｅｒ）ＩＥからターゲットＥＣＧＩ：ＥＣＧＩＢを抽出し、ＲＮ：ＲＮＢによって動作させられているものとしてこのセルを識別し、またＲＮ：ＲＮＢに向かってそのメッセージをＳ１−プロキシする。
【００７２】
ハンドオーバー要求メッセージの受信のすぐ後に、またリソース入場制御の後に、ターゲットｅＮＢ：ＲＮＢは、ソースｅＮＢ：ｅＮＢＡに対してハンドオーバー要求肯定応答メッセージ（ＨＡＮＤＯＶＥＲ  ＲＥＱＵＥＳＴ  ＡＣＫ  ｍｅｓｓａｇｅ）を返信し、このメッセージは、ＤｅＮＢ：ＤｅＮＢＣによってＸ２／Ｓ１プロキシされている。ハンドオーバー要求肯定応答メッセージは、ソースｅＮＢ：ｅＮＢＡによりＵＥ：ＵＥＸに対してトランスペアレントに手渡されるべきＲＲＣ接続再構成コンテナ（ＲＲＣ  ＣＯＮＮＥＣＴＩＯＮ  ＲＥＣＯＮＦＩＧＵＲＡＴＩＯＮ  ｃｏｎｔａｉｎｅｒ）を含んでいる。
【００７３】
ＵＥ：ＵＥＸは、必要なパラメータを有するＲＲＣ接続再構成メッセージを受信し、またこのようにしてソースｅＮＢ：ｅＮＢＡによりハンドオーバーを実行するように命令される。ＵＥは、ターゲットｅＮＢ：ＲＮＢに対して同期化を実行し、またＲＡＣＨを経由してセルＢにアクセスする。ターゲットｅＮＢ：ＲＮＢは、アップリンク割付けと、タイミング先行値（ｔｉｍｉｎｇ  ａｄｖａｎｃｅ  ｖａｌｕｅ）とを用いて応答する。ＵＥ：ＵＥＸが、ターゲット・セルＢに正常にアクセスしたときに、ＵＥ：ＵＥＸは、ＲＲＣ接続再構成完了メッセージ（ＲＲＣ  ＣＯＮＮＥＣＴＩＯＮ  ＲＥＣＯＮＦＩＧＵＲＡＴＩＯＮ  ＣＯＭＰＬＥＴＥ  ｍｅｓｓａｇｅ）をターゲットｅＮＢ：ＲＮＢに対して送信する。ターゲットｅＮＢ：ＲＮＢは、今や、ＵＥ：ＵＥＸに対してデータを送信し始めることができる。
【００７４】
ＵＥ：ＵＥＸについてのハンドオーバー・プロシージャは、ＲＡＮ構成データ交換のために失敗する可能性があり、このＲＡＮ構成データ交換は、完了するためにある時間かかる可能性があることに注意すべきである。しかしながら、交換されたＲＡＮ構成データは、同じＵＥまたは別のＵＥについて、ソース・セルＡからターゲット・セルＢに向かってのさらなるハンドオーバーのために使用されることが可能である。
【００７５】
サービングｅＮＢ：ｅＮＢＡと、ターゲットｅＮＢ：ＲＮＢとは、同じＭＭＥに接続されるように示されているが、それにもかかわらず、それらは、異なるＭＭＥに接続されることも可能であり、この場合には、ｅＮＢ構成転送メッセージと、ハンドオーバー必要メッセージとは、ターゲットＴＡＩを用いて、適切なターゲットＭＭＥに対してソースＭＭＥによってルーティングされる。
【００７６】
同様に、ターゲットｅＮＢ：ＲＮＢによって動作させられるターゲット・セルＢは、サービング・セルＡと同じトラッキング・エリア、現在の場合にはＴＡＡに属する可能性がある。そうである場合、ｅＮＢ：ｅＮＢＡはまた、Ｓ１ページング・プロセスの一部分としてＭＭＥ構成転送メッセージのコピーを取得することになり、またｅＮＢ：ｅＮＢＤについて説明されるものとまさに同じ理由のために、このメッセージを切り捨てることになる。
【００７７】
代わりに、ソースｅＮＢ：ｅＮＢＡはまた、先ずｅＮＢ構成転送メッセージを発行しないことを、しかし、ハンドオーバー必要メッセージをＭＭＥ：ＭＭＥＡに対して送信することを、（例えば、それが、Ｘ２接続セットアップに関心がないので）有効に決定することもできる。その場合には、以下が、当てはまることになる。
【００７８】
ソースｅＮＢ：ｅＮＢＡは、ターゲットｅＮＢのＩＤおよびＴＡＩ、現在の場合にはＲＮ−ＩＤＢおよびＴＡＩＢを含むＳ１ハンドオーバーをトリガすることを決定する。
【００７９】
ターゲットＭＭＥは、符号化されたターゲットｅＮＢのＩＤに対応するどのようなｅＮＢも見出すことはなく、またハンドオーバー・プロシージャは、今日現在の原因「知られていないノード−Ｉｄ」を伴って失敗する。
【００８０】
ソースｅＮＢ：ｅＮＢＡは、その失敗に肯定応答し、またこのターゲットｅＮＢについてより多く学ぶために、さらに、ｅＮＢ構成転送メッセージを発行することを決定する。そのプロシージャは、上記のように継続される。
【００８１】
上記説明は、ＬＴＥの技術と専門用語とを網羅的に参照しているが、無線アクセス・ノードと、モビリティ管理ノードとは、ドナー・ノードを通してプロキシされるリレー・ノードをサポートするものと考えられるさらなるモバイル通信技術またはワイヤレス通信技術に従って動作することができる。無線アクセス・ノードは、そのときには、ハンドオーバー・プロシージャのためにソースおよび／またはターゲットのセルを動作させ、またそのセルに向かってのインバウンド・ハンドオーバーの決定を制御し、そのセルからのアウトバウンド・ハンドオーバーの決定を制御する無線アクセス・ネットワーク（ＲＡＮ）インフラストラクチャについてのネットワーク・ノードを意味することになる。例えば、ソースおよび／またはターゲットの無線アクセス・ノードは、ＬＴＥについてのｅＮＢを意味し、またはユニバーサル・モバイル電気通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）（ＵＭＴＳ）についての無線ネットワーク制御装置（ＲＮＣ）を意味し、あるいは移動通信用グローバル・システム（Ｇｌｏｂａｌ  Ｓｙｓｔｅｍ  ｆｏｒ  Ｍｏｂｉｌｅ）（ＧＳＭ）についての基地局制御装置（Ｂａｓｅ  Ｓｔａｔｉｏｎ  Ｃｏｎｔｒｏｌｌｅｒ）（ＢＳＣ）などを意味する可能性がある。同様に、モビリティ管理ノードは、ＬＴＥについてのＭＭＥを意味し、あるいはＧＳＭまたはＵＭＴＳについてのサービングＧＰＲＳサポート・ノード（Ｓｅｒｖｉｎｇ  ＧＰＲＳ  Ｓｕｐｐｏｒｔ  Ｎｏｄｅ）（ＳＧＳＮ）を意味することになる。
【００８２】
特許請求の範囲において使用されてもいる用語「備えている（ｃｏｍｐｒｉｓｉｎｇ）」は、その後にリストアップされる手段だけに限定されるようには解釈されるべきでないことに注意すべきである。したがって、「手段ＡおよびＢを備えるデバイス」という表現の範囲は、コンポーネントＡおよびＢだけから成るデバイスだけに限定されるべきではない。それは、本発明に関して、デバイスについての関連のあるコンポーネントは、ＡおよびＢであることを意味する。
【００８３】
さらに、「結合される」という用語は、直接接続だけに限定されるようには解釈されるべきでないことにも注意すべきである。したがって、「デバイスＢに結合されたデバイスＡ」という表現の範囲は、デバイスＡの出力が、デバイスＢの入力に、直接に接続されている、かつ／またはその逆も同様であるというデバイスまたはシステムだけに限定されるべきではない。それは、Ａの出力と、Ｂの入力との間に経路が存在しており、かつ／またはその逆も同様であり、この経路は、他のデバイスまたは手段を含む経路とすることができることを意味する。
【００８４】
本説明および図面は、単に本発明の原理を示しているにすぎない。したがって、当業者は、本明細書において、明示的に説明されても、または示されてもいないけれど、本発明の原理を実施し、またその精神および範囲の内部に含まれる様々な構成を工夫することができるようになることが、理解されるであろう。さらに、本明細書において列挙されるすべての例は、主として、本発明の原理と、当技術を推進するように本発明者（単数または複数）によって寄与される概念とを理解するに際して読者を助ける教育上の目的のためにすぎないように明示的に意図され、またそのように具体的に列挙された例および状態だけに限定することのないように解釈されるべきである。さらに、本発明の原理、態様、および実施形態を列挙する本明細書におけるすべての記述、ならびにその特定の例は、その同等物を包含するように意図される。
【００８５】
図面に示される様々な要素の機能は、専用のハードウェア、ならびに適切なソフトウェアに関連してソフトウェアを実行することができるハードウェアの使用を通して提供されることが可能である。プロセッサによって提供されるときに、機能は、単一の専用プロセッサにより、単一の共用プロセッサにより、またはそれらのうちのいくつかが共用され得る複数の個別のプロセッサにより、提供されることが可能である。さらに、プロセッサは、ソフトウェアを実行することができるハードウェアだけを排他的に意味するように解釈されるべきではなく、また暗黙のうちに、限定することなく、デジタル信号プロセッサ（ｄｉｇｉｔａｌ  ｓｉｇｎａｌ  ｐｒｏｃｅｓｓｏｒ）（ＤＳＰ）のハードウェア、ネットワーク・プロセッサ、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ）（ＡＳＩＣ）、フィールド・プログラマブル・ゲート・アレイ（ｆｉｅｌｄ  ｐｒｏｇｒａｍｍａｂｌｅ  ｇａｔｅ  ａｒｒａｙ）（ＦＰＧＡ）などを含むことができる。リード・オンリー・メモリ（ｒｅａｄ  ｏｎｌｙ  ｍｅｍｏｒｙ）（ＲＯＭ）、ランダム・アクセス・メモリ（ｒａｎｄｏｍ  ａｃｃｅｓｓ  ｍｅｍｏｒｙ）（ＲＡＭ）、不揮発性ストレージなど、他のハードウェアが、従来のものおよび／またはカスタムもまた、含まれることが可能である。
【図１】
0005586782.tif 000002
【図２】
0005586782.tif 000003
【図３Ａ】
0005586782.tif 000004
【図３Ｂ】
0005586782.tif 000005